(57)【要約】【課題】  時刻設定の操作を簡素化し煩わしさを低減することが可能な時刻設定装置およびこの時刻設定装置を備えた遠隔操作装置を提供する。【解決手段】  操作手段４と、表示手段５と、操作手段４の操作によって表示手段５の表示を変更する制御手段６と、を備えた時刻設定装置において、制御手段６は表示手段５に表示されている現在の時刻を基準時刻とし、この基準時刻とは異なる候補時刻Ｔ２〜Ｔ４を求めるとともに表示手段５に表示するものである。【選択図】  図１
2016142538.tif 000002
【特許請求の範囲】
【請求項１】
操作手段と、表示手段と、前記操作手段の操作によって前記表示手段の表示を変更する制御手段と、を備えた時刻設定装置において、前記制御手段は前記表示手段に表示されている現在の時刻を基準時刻とし、この基準時刻とは異なる候補時刻を求めるとともに前記表示手段に表示することを特徴とする時刻設定装置。
【請求項２】
前記制御手段は、前記候補時刻を前記表示手段に複数表示させることを特徴とする請求項１に記載の時刻設定装置。
【請求項３】
前記表示手段は、現在の時刻を表示する第１表示領域と、前記候補時刻を表示する第２表示領域とを有しており、前記制御手段は前記第２表示領域に表示されている候補時刻を前記操作手段の操作によって選定決定すると前記第２表示領域に表示されていた前記候補時刻を前記第１表示領域に表示させることを特徴とする請求項１に記載の時刻設定装置。
【請求項４】
操作手段と、設定状態を表示する表示手段と、前記操作手段の操作によって前記表示手段の表示を変更する制御手段と、を備えた時刻設定装置を備えた遠隔操作装置において、前記制御手段は前記表示手段に表示されている現在の時刻を基準時刻とし、この基準時刻とは異なる候補時刻を求めるとともに前記表示手段に表示することを特徴とする時刻設定装置を備えた遠隔操作装置。
【請求項５】
前記制御手段は、前記候補時刻を前記表示手段に複数表示させることを特徴とする請求項４に記載の時刻設定装置を備えた遠隔操作装置。
【請求項６】
前記表示手段は、現在の時刻を表示する第１表示領域と、前記候補時刻を表示する第２表示領域とを有しており、前記制御手段は前記第２表示領域に表示されている候補時刻を前記操作手段の操作によって選定決定すると前記第２表示領域に表示されていた前記候補時刻を前記第１表示領域に表示させることを特徴とする請求項４に記載の時刻設定装置を備えた遠隔操作装置。
【発明の詳細な説明】
【技術分野】
【０００１】
本発明は、時刻を設定する時刻設定装置およびこの時刻設定装置を備えた遠隔操作装置に関する。
【背景技術】
【０００２】
従来の時刻設定装置は、例えば、遠隔操作装置であるリモコンの現在時刻の設定において、リモコン本体に備えられる操作スイッチを用いて、「時」→「分」→「秒」の各モードによる時刻設定操作を行うものであった（例えば、特許文献１を参照）。
【先行技術文献】
【特許文献】
【０００３】
【特許文献１】特開２００２−４０１７８号公報（特に、段落０００５参照）
【発明の概要】
【発明が解決しようとする課題】
【０００４】
従来の時刻設定装置では、「時」、「分」においては、前記操作スイッチの操作によって、増分値が「１」ずつ変更するために、時刻設定の操作が煩雑であった。また、現在時刻の設定の操作に加えて、遠隔操作装置のタイマ時刻の設定も同様の操作を行うために、同様に操作が煩雑であった。
【０００５】
そこで、本発明は、前述の問題点に着目し、時刻設定の操作を簡素化し煩わしさを低減することが可能な時刻設定装置およびこの時刻設定装置を備えた遠隔操作装置を提供することを目的とする。
【課題を解決するための手段】
【０００６】
本発明の時刻設定装置は、前記課題を解決するために、操作手段と、表示手段と、前記操作手段の操作によって前記表示手段の表示を変更する制御手段と、を備えた時刻設定装置において、前記制御手段は前記表示手段に表示されている現在の時刻を基準時刻とし、この基準時刻とは異なる候補時刻を求めるとともに前記表示手段に表示するものである。
【０００７】
また、本発明の時刻設定装置を備えた遠隔操作装置は、前記課題を解決するために、操作手段と、設定状態を表示する表示手段と、前記操作手段の操作によって前記表示手段の表示を変更する制御手段と、を備えた時刻設定装置を備えた遠隔操作装置において、前記制御手段は前記表示手段に表示されている現在の時刻を基準時刻とし、この基準時刻とは異なる候補時刻を求めるとともに前記表示手段に表示するものである。
【発明の効果】
【０００８】
以上の構成によって、本発明は、所期の目的を達成することができ、時刻設定の操作を簡素化し煩わしさを低減することが可能な時刻設定装置およびこの時刻設定装置を備えた遠隔操作装置を提供することができる。
【図面の簡単な説明】
【０００９】
【図１】本発明の第１実施形態の遠隔操作装置の正面図。
【図２】同実施形態の遠隔操作装置の構成要素を示すブロック図。
【図３】同実施形態の遠隔操作装置の画面遷移を示す図。
【図４】同実施形態の遠隔操作装置の処理を示すフロー図。
【図５】同実施形態の遠隔操作装置の時刻設定の画面遷移を示す図。
【図６】同実施形態の遠隔操作装置のタイマ設定の画面遷移を示す図。
【発明を実施するための形態】
【００１０】
以下に、本発明の実施形態を添付図面に基づいて説明する。
【００１１】
本発明の時刻設定装置を遠隔操作装置１を例に説明する。遠隔操作装置１は、空気調和機などの機器２と、有線、あるいは赤外線や無線通信などの手段で通信し操作するものである。
【００１２】
遠隔操作装置１は、ケース３と、操作手段４と、表示手段５および制御手段６を備えている。
【００１３】
ケース３は、合成樹脂からなり、操作手段４、表示手段５および制御手段６などを内蔵している。
【００１４】
操作手段４は、複数のスイッチからなる。各スイッチには、それぞれ１つ以上の機能が割り当てられている。
【００１５】
本実施形態の操作手段４を構成する複数のスイッチは、電源スイッチ４０１、時刻合わせスイッチ４０２、加算スイッチ４０３、減算スイッチ４０４、選択１スイッチ４０５、選択２スイッチ４０６、選択３スイッチ４０７、冷房スイッチ４０８、暖房スイッチ４０９、除湿スイッチ４１０、温度上昇スイッチ４１１、温度下降スイッチ４１２、風向スイッチ４１３およびタイマスイッチ４１４を備えている。なお、複数のスイッチは、前記スイッチに限定されるものではなく、用途に応じて取捨選択が可能である。
【００１６】
本実施形態の遠隔操作装置１の時刻設定に使用するスイッチは、時刻合わせスイッチ４０２、加算スイッチ４０３、減算スイッチ４０４、選択１スイッチ４０５、選択２スイッチ４０６、選択３スイッチ４０７およびタイマスイッチ４１４である。
【００１７】
時刻合わせスイッチ４０２の機能は、図３に示すように、操作する毎に、時桁選択、分桁選択、確定、時桁選択、以下繰り返す。時桁、分桁を選択しているときは、時桁、分桁が点滅する。
【００１８】
加算スイッチ４０３の機能は、操作する毎に、時桁か分桁のどちらか選択した桁の数字を増やすことができる。例えば、図１の表示の場合、時桁を、１４、１５、１６と増やすことができる。
【００１９】
減算スイッチ４０４の機能は、操作する毎に、時桁か分桁のどちらか選択した桁の数字を減らすことができる。例えば、図１の表示の場合、時桁を、１４、１３、１２と減らすことができる。
【００２０】
選択１スイッチ４０５、選択２スイッチ４０６、選択３スイッチ４０７の機能は、後述する表示手段５の第２表示領域５ｂにて表示されている候補時刻を選択することができる。例えば、選択１スイッチ４０５を操作すると、第２表示領域５ｂに表示されている２０：３７を選択し、後述する表示手段５の第１表示領域５ａに表示することができる。以下、同様に、選択２スイッチ４０６を操作すると、第２表示領域５ｂに表示されている２：３７を選択し、選択３スイッチ４０７を操作すると、第２表示領域５ｂに表示されている８：３７を選択し、後述する表示手段５の第１表示領域５ａに表示することができる。
【００２１】
タイマスイッチ４１４の機能は、操作する毎に、入時刻時桁設定、入時刻分桁設定、切時刻時桁設定、切時刻分桁設定、確定、入時刻設定、以下繰り返す。
【００２２】
表示手段５は、例えば、ドットマトリクス型液晶表示素子からなり、操作手段４によって変更される設定状態を表示するものである。表示される設定状態は、図示していないが、温度、風向きや時刻などである。
【００２３】
なお、時刻の表示に関しては、本実施形態では、第１表示領域５ａと第２表示領域５ｂとを備えている。第１表示領域５ａは、現在、遠隔操作装置１で設定されている時刻を表示する領域であり、第２表示領域５ｂは、第１表示領域５ａの時刻を修正する候補時刻を表示する領域であり、本実施形態では、３つの時刻を表示することが可能である。
【００２４】
本実施形態では、候補時刻は、時桁選択と分桁選択で、それぞれ表示する時刻が異なる。時桁選択の場合、候補時刻は、１日２４時間を６時間毎の４つに分けて、第１表示領域５ａに表示されている時刻に対して、６時間毎の候補時刻を表示する。図１の場合は、２０：３７、２：３７、８：３７となる。分桁選択の場合、候補時刻は、１時間６０分を１５分毎の４つに分けて、第１表示領域５ａに表示されている時刻に対して、時桁が同一で、１５分毎の候補時刻を表示する。例えば、３７分と分桁に表示されている場合は、５２分、０７分、２２分と表示する。なお、候補時刻については、本実施形態では、候補の数が、３つであったが、３つに限定されるものではなく、任意である。
【００２５】
制御手段６は、マイクロコンピュータからなり、制御手段６が、実行する処理（遠隔操作装置１の制御など）を実際に行うＣＰＵ（Central  Processing  Unit）と、ＣＰＵのメインメモリとして機能するＲＡＭ（Random  Access  Memory）と、制御手段６に後述の処理などを実行させる各種プログラムを記憶するＲＯＭ（Read  Only  Memory）と、制御手段６に入出力される情報（信号）をＣＰＵ用にデジタル変換したり出力用にアナログ変換したりする各種変換器と、を備える。制御手段６は、例えば、機器２の温度、風向き等の遠隔操作制御を行うとともに、表示手段５の表示制御を行うものである。
【００２６】
なお、本実施形態の遠隔操作装置１は、赤外線で機器２と通信を行うため、図示していない赤外線送信手段を備えている。
【００２７】
次に図４、５を用いて、本発明の時刻設定について説明する。今回は、０：００から１２：３８に時刻設定をする場合を例に取って説明する。
【００２８】
操作者が、画面Ｊ１の状態で、時刻合わせスイッチ４０２を操作すると、時桁部分の処理が開始する。制御手段６は、ステップＳＴ１で、表示手段５に表示されている現在の表示時刻Ｔ１を把握し（０：００）（図５の画面Ｊ１参照）、表示時刻Ｔ１を基準時刻とする。この時、画面Ｊ２では、時桁部分が修正可能であることを示すために、点滅している（図５の画面Ｊ２参照）。
【００２９】
次に、ステップＳＴ２で、この基準時刻からの時刻設定のための複数の候補時刻Ｔ２（６：００）、Ｔ３（１２：００）、Ｔ４（１８：００）を求める。
【００３０】
次に、ステップＳＴ３で、候補時刻Ｔ２〜Ｔ４を表示手段５の第２表示領域５ｂに表示する（図５の画面Ｊ２参照）。
【００３１】
次に、操作者が、画面Ｊ２の状態で、選択２スイッチ４０６を操作すると、制御手段６は、ステップＳＴ４において、選択した候補時刻Ｔ３を現在の表示時刻とし、候補時刻Ｔ３の時刻を第１表示領域５ａにて表示する（図５の画面Ｊ３参照）。候補時刻Ｔ３が第１表示領域５ａにて表示されると、表示時刻が変更されて、基準時刻も変更されるために、候補時刻Ｔ２〜Ｔ４も表示が変更される。なお、この時、選択スイッチ４０５〜４０７を操作せず、加算スイッチ４０３あるいは減算スイッチ４０４で時刻を修正してもよい。
【００３２】
次に、ステップＳＴ５で、加算スイッチ４０３あるいは減算スイッチ４０４の操作によって、時桁を設定したい時刻に修正する。なお、今回の場合は、時桁の修正は、不要であるので、この処理は行わない。図５の画面Ｊ３の状態で、時刻合わせスイッチ４０２を操作すると、時刻設定の時桁部分の処理が完了する。
【００３３】
引き続き、図５を用いて、分桁部分の時刻設定を説明する。図５の画面Ｊ３の状態で、時刻合わせスイッチ４０２を操作すると、時刻設定の時桁部分の処理が完了し、分桁部分を修正することができる。
【００３４】
制御手段６は、表示手段５に表示されている現在の表示時刻Ｔ１を把握し（１２：００）（図５の画面Ｊ４参照）、表示時刻Ｔ１を基準時刻とする。この時、画面Ｊ４では、分桁部分が修正可能であることを示すために、点滅している。
【００３５】
この基準時刻からの時刻設定のための複数の候補時刻Ｔ２（１２：１５）、Ｔ３（１２：３０）、Ｔ４（１２：４５）を求め、候補時刻Ｔ２〜Ｔ４を表示手段５の第２表示領域５ｂに表示する（図５の画面Ｊ４参照）。
【００３６】
次に、操作者が、画面Ｊ４の状態で、選択２スイッチ４０６を操作すると、制御手段６は、選択した候補時刻Ｔ３を現在の表示時刻とし、候補時刻Ｔ３の時刻を第１表示領域５ａにて表示する（図５の画面Ｊ５参照）。
【００３７】
次に、加算スイッチ４０３あるいは減算スイッチ４０４の操作によって、時桁を設定したい時刻に修正する。今回の場合は、加算スイッチ４０３を８回操作し、現在時刻を１２：３８とする。図５の画面Ｊ６の状態で、時刻合わせスイッチ４０２を操作すると、時刻設定の時桁部分の処理が完了し、時刻設定の処理が完了する（図５の画面Ｊ７参照）。
【００３８】
次に図６を用いて、本発明のタイマの時刻設定について説明する。今回は、機器の電源投入時刻（入時刻）を８：５５とする場合を例に取って説明する。
【００３９】
操作者が、画面Ｊ１１の状態で、タイマスイッチ４１４を操作すると、時桁部分の処理が開始する。制御手段６は、表示手段５に表示されている現在の表示時刻Ｔ１を把握し（１４：３７）（図６の画面Ｊ１１参照）、表示時刻Ｔ１を基準時刻とする。この時、画面Ｊ１２では、時桁部分が修正可能であることを示すために、点滅している（図６の画面Ｊ１２参照）。なお、現在時刻という文字も入時刻に変更している。
【００４０】
次に、基準時刻からの時刻設定のための複数の候補時刻Ｔ２（２０：３７）、Ｔ３（２：３７）、Ｔ４（８：３７）を求め、候補時刻Ｔ２〜Ｔ４を表示手段５の第２表示領域５ｂに表示する（図６の画面Ｊ１２参照）。
【００４１】
次に、操作者が、画面Ｊ１２の状態で、選択３スイッチ４０７を操作すると、制御手段６は、選択した候補時刻Ｔ４を現在の表示時刻とし、候補時刻Ｔ４の時刻を第１表示領域５ａにて表示する（図６の画面Ｊ１３参照）。候補時刻Ｔ３が第１表示領域５ａにて表示されると、表示時刻が変更されて、基準時刻も変更されるために、候補時刻Ｔ２〜Ｔ４も表示が変更される。なお、この時、選択スイッチ４０５〜４０７を操作せず、加算スイッチ４０３あるいは減算スイッチ４０４で時刻を修正してもよい。
【００４２】
次に、加算スイッチ４０３あるいは減算スイッチ４０４の操作によって、時桁を目的の時刻に修正する。なお、今回の場合は、時桁の修正は、不要であるので、この処理は行わない。図６の画面Ｊ１３の状態で、タイマスイッチ４１４を操作すると、タイマの時刻設定の時桁部分の処理が完了する。
【００４３】
引き続き、図６を用いて、分桁部分のタイマ時刻設定を説明する。図６の画面Ｊ１３の状態で、タイマスイッチ４１４を操作すると、タイマ時刻の時桁部分の処理が完了し、続いて、分桁部分を変更することができる。
【００４４】
制御手段６は、表示手段５に表示されている現在の表示時刻Ｔ１を把握し（８：３７）（図６の画面Ｊ１４参照）、表示時刻Ｔ１を基準時刻とする。この時、画面Ｊ１４では、分桁部分が修正可能であることを示すために、点滅している。
【００４５】
この基準時刻からの時刻設定のための複数の候補時刻Ｔ２（８：５２）、Ｔ３（８：０７）、Ｔ４（８：２２）を求め、候補時刻Ｔ２〜Ｔ４を表示手段５の第２表示領域５ｂに表示する（図６の画面Ｊ１４参照）。
【００４６】
次に、操作者が、画面Ｊ１４の状態で、選択１スイッチ４０５を操作すると、制御手段６は、選択した候補時刻Ｔ２を現在の表示時刻とし、候補時刻Ｔ２の時刻を第１表示領域５ａにて表示する（図６の画面Ｊ１５参照）。
【００４７】
次に、加算スイッチ４０３あるいは減算スイッチ４０４の操作によって、時桁を設定したい時刻に修正する。今回の場合は、加算スイッチ４０３を３回操作し、タイマ時刻を８：５５とする。図６の画面Ｊ６の状態で、タイマスイッチ４１４を操作すると、タイマ時刻設定の時桁部分の処理が完了し、タイマ時刻設定の処理が完了する（図６の画面Ｊ１６参照）。
【００４８】
図６の画面Ｊ１６の状態で、タイマスイッチ４１４を１回操作すると、タイマの切時刻の時桁を設定する。制御手段６は、表示手段５に表示されている現在の表示時刻Ｔ１を把握し（８：５５）（図６の画面Ｊ１７参照）、表示時刻Ｔ１を基準時刻とする。この時、画面Ｊ１７では、時桁部分が修正可能であることを示すために、点滅している。なお、入時刻という文字も切時刻に変更する。
【００４９】
基準時刻からのタイマ時刻のための複数の候補時刻Ｔ２（１４：５５）、Ｔ３（２０：５５）、Ｔ４（２：５５）を求め、候補時刻Ｔ２〜Ｔ４を表示手段５の第２表示領域５ｂに表示する（図６の画面Ｊ１７参照）。以下、タイマの切時刻も入時刻と同様に設定する。
【００５０】
以上のように、操作手段４と、表示手段５と、操作手段４の操作によって表示手段５の表示を変更する制御手段６と、を備えた時刻設定装置において、制御手段６は表示手段５に表示されている現在の時刻を基準時刻とし、この基準時刻とは異なる候補時刻Ｔ２〜Ｔ４を求めるとともに表示手段５に表示することにより、時刻設定の操作を簡素化し煩わしさを低減することが可能な時刻設定装置を提供することができる。
【００５１】
また、制御手段６は、前記候補時刻Ｔ２〜Ｔ４を表示手段５に複数表示させることにより、時刻設定の操作を簡素化し煩わしさを低減することが可能な時刻設定装置を提供することができる。
【００５２】
また、表示手段５は、現在の時刻を表示する第１表示領域５ａと、候補時刻Ｔ２〜Ｔ４を表示する第２表示領域５ｂとを有しており、制御手段６は第２表示領域５ｂに表示されている候補時刻Ｔ２〜Ｔ４を操作手段４の操作によって選定決定すると第２表示領域５ｂに表示されていた候補時刻Ｔ２〜Ｔ４を第１表示領域５ａに表示させることにより、時刻設定の操作を簡素化し煩わしさを低減することが可能な時刻設定装置を提供することができる。
【００５３】
また、操作手段４と、設定状態を表示する表示手段５と、操作手段４の操作によって表示手段５の表示を変更する制御手段６と、を備えた時刻設定装置を備えた遠隔操作装置１において、制御手段６は表示手段５に表示されている現在の時刻を基準時刻とし、この基準時刻とは異なる候補時刻Ｔ２〜Ｔ４を求めるとともに表示手段５に表示することにより、時刻設定の操作を簡素化し煩わしさを低減することが可能な時刻設定装置を備えた遠隔操作装置１を提供することができる。
【００５４】
また、制御手段６は、候補時刻Ｔ２〜Ｔ４を表示手段５に複数表示させることにより、時刻設定の操作を簡素化し煩わしさを低減することが可能な時刻設定装置を備えた遠隔操作装置１を提供することができる。
【００５５】
また、表示手段５は、現在の時刻を表示する第１表示領域５ａと、候補時刻Ｔ２〜Ｔ４を表示する第２表示領域５ｂとを有しており、制御手段６は第２表示領域５ｂに表示されている候補時刻Ｔ２〜Ｔ４を操作手段４の所定入力に基づいて選定決定すると第２表示領域５ｂに表示されていた候補時刻Ｔ２〜Ｔ４を第１表示領域５ａに表示させることにより、時刻設定の操作を簡素化し煩わしさを低減することが可能な時刻設定装置を備えた遠隔操作装置１を提供することができる。
【００５６】
以上、本発明の時刻設定装置は、遠隔操作装置１を実施形態として説明したが、時刻設定装置は、遠隔操作装置１に限定されるものではなく、時刻を表示する表示手段を備えたものであれば、どのような装置に適用してもよい。
【産業上の利用可能性】
【００５７】
本発明は、時刻を設定する時刻設定装置およびこの時刻設定装置を備えた遠隔操作装置に利用可能である。
【符号の説明】
【００５８】
１      遠隔操作装置
２      機器（空気調和機）
３      ケース
４      操作手段
５      表示手段
５ａ    第１表示領域
５ｂ    第２表示領域
６      制御手段
４０１      電源スイッチ
４０２      時刻合わせスイッチ
４０３      加算スイッチ
４０４      減算スイッチ
４０５      選択１スイッチ
４０６      選択２スイッチ
４０７      選択３スイッチ
４０８      冷房スイッチ
４０９      暖房スイッチ
４１０      除湿スイッチ
４１１      温度上昇スイッチ
４１２      温度下降スイッチ
４１３      風向スイッチ
４１４      タイマスイッチ
【図１】
2016142538.tif 000003
【図２】
2016142538.tif 000004
【図３】
2016142538.tif 000005
【図４】
2016142538.tif 000006
【図５】
2016142538.tif 000007
【図６】
2016142538.tif 000008